(57)【要約】【課題】洗浄水中の尿がバイオフィルムを含む有機物汚れにより比較的短時間で尿石を生じさせることを抑制することができる小便器を提供する。【解決手段】本発明の小便器は、ボウル面を形成するボウル部と、ボウル部の排水口と連通する排水トラップと、ボウル面に洗浄水を吐水する吐水部と、検知センサーと、吐水部による洗浄水の吐水を制御する制御部と、を有し、制御部は、検知センサーが使用者の使用を検知しなくなった後に、吐水部から吐水を行う本洗浄吐水モードと、設定されたスケジュールに基づいて吐水部から洗浄水を吐水して排水トラップの下流側に接続される横引配管におけるバイオフィルムを含む有機物汚れの形成を抑制する有機物汚れ抑制吐水モードと、検知センサーが使用者の使用を検知している間において吐水部から吐水を行う尿希釈吐水モードとを備え、有機物汚れ抑制吐水モードで吐水される水量が、毎回一定である。【選択図】図９
2019027192.tif 000002
【特許請求の範囲】
【請求項１】
排水用の横引配管に排水する小便器であって、
排尿を受けるボウル面を形成し、その底部に排水口を形成するボウル部と、
前記ボウル部の排水口と連通する排水トラップと、
前記ボウル部のボウル面に洗浄水を吐水する吐水部と、
使用者の小便器の使用を検知する検知センサーと、
前記吐水部による洗浄水の吐水を制御する制御部とを備え、
前記制御部が、
前記検知センサーが使用者の使用を検知しなくなった後に、前記吐水部から吐水を行う本洗浄吐水モードと、
設定されたスケジュールに基づいて前記吐水部から洗浄水を吐水して前記排水トラップの下流側に接続される前記横引配管におけるバイオフィルムを含む有機物汚れの形成を抑制する有機物汚れ抑制吐水モードと、
前記検知センサーが使用者の使用を検知している間において前記吐水部から吐水を行う尿希釈吐水モードとを有し、
前記有機物汚れ抑制吐水モードで吐水される水量が、毎回一定であることを特徴とする小便器。
【請求項２】
前記尿希釈吐水モードにおける前記吐水部からの吐水の瞬間流量が、前記有機物汚れ抑制吐水モードにおける前記吐水部からの吐水の瞬間流量より小さいことを特徴とする請求項１に記載の小便器。
【請求項３】
前記本洗浄吐水モードにおける前記吐水部からの吐水の瞬間流量が、前記尿希釈吐水モードにおける前記吐水部からの吐水の瞬間流量より大きいことを特徴とする請求項１または請求項２に記載の小便器。
【請求項４】
前記有機物汚れ抑制吐水モードにおいて前記吐水部から吐水される水量が、前記本洗浄吐水モードにおいて前記吐水部から吐水される水量以上となることを特徴とする請求項１乃至請求項３の何れか１項に記載の小便器。
【請求項５】
前記制御部が、前記本洗浄吐水モードが終了してから有機物汚れ抑制吐水実行時間経過時に前記有機物汚れ抑制吐水モードを実行することを特徴とする請求項１乃至請求項４のいずれか１項に記載の小便器。
【請求項６】
前記有機物汚れ抑制吐水実行時間が、複数の所定時間から選択自在であることを特徴とする請求項５に記載の小便器。
【請求項７】
前記本洗浄吐水モードが終了してから前記有機物汚れ抑制吐水実行時間より短い有機物汚れ抑制吐水判定時間経過時において、
前回の前記有機物汚れ抑制吐水モードを実行してからの小便器使用回数が所定回数以上であった場合は、前記有機物汚れ抑制吐水モードを実行し、
前回の前記有機物汚れ抑制吐水モードを実行してからの小便器使用回数が所定回数より少なかった場合は、前記有機物汚れ抑制吐水実行時間経過時に前記有機物汚れ抑制吐水モードを実行することを特徴とする請求項５に記載の小便器。
【請求項８】
前記有機物汚れ抑制吐水モードが、一定時間ごとに実行されることを特徴とする請求項１乃至請求項４のいずれか１項に記載の小便器。
【請求項９】
前記有機物汚れ抑制吐水モードが、間欠的に実行されることを特徴とする請求項１乃至請求項８の何れか１項に記載の小便器。
【発明の詳細な説明】
【技術分野】
【０００１】
本発明は、小便器に係り、特に、排尿を受けて排出する小便器に関する。
【背景技術】
【０００２】
従来から、特許文献１に記載されているように、小便器の制御部が、排水トラップに溜まっている尿を洗浄水によって置換する第一洗浄モードと、この第一洗浄モードの実行後に実行される第二洗浄モードと、を備え、制御部が第二洗浄モードを実行することにより、第一洗浄モードの排水を洗い流して、横引配管における尿石の発生を抑制するものが知られている。
【先行技術文献】
【特許文献】
【０００３】
【特許文献１】特許第５４５５０６４号
【特許文献２】特開２００１−３０３６３９号公報
【発明の概要】
【発明が解決しようとする課題】
【０００４】
これまで、小便器の排水トラップ及び排水トラップの下流側の横引配管に形成される尿石は、細菌の活動により約２時間程度の比較的長時間のサイクルで生成されると考えられてきた。
しかしながら、本発明者らは、鋭意研究を重ねた結果、バイオフィルムが形成された環境下においては、数秒程度の非常に短時間であっても尿石が発生するという新たな知見を見出した。
【０００５】
このような知見により、少容積の排水トラップにおいてバイオフィルムが形成されている場合には、排尿中に尿濃度が一時的に高くなる程度であっても、数秒程度で尿石が発生し付着してしまうことが分かった。
また、横引配管においても同様の現象が起きるため、横引配管内に比較的高い尿濃度の洗浄水が流入した場合にも、尿石が発生し付着してしまう。
【０００６】
さらに、近年の洗浄水の節水化の要請に伴い、比較的少ない容積の節水型の排水トラップが提案されている。
このような節水型の排水トラップにおいては、使用者の排尿により排水トラップ内の洗浄水が置換され、排水トラップ内の尿濃度が高くなりやすい。
よって、前述の新たな知見に基づけば、排水トラップ、例えば節水型の排水トラップにおいて、排水トラップ及び横引配管における尿石の発生を早期に抑制することが重要な課題となっている。
【０００７】
そこで、本発明は、前述したような従来技術の問題を解決するものであって、すなわち、本発明の目的は、洗浄水中の尿がバイオフィルムを含む有機物汚れにより比較的短時間で尿石を生じさせることを抑制することができる小便器を提供することである。
【課題を解決するための手段】
【０００８】
請求項１に係る発明は、排水用の横引配管に排水する小便器であって、排尿を受けるボウル面を形成し、その底部に排水口を形成するボウル部と、前記ボウル部の排水口と連通する排水トラップと、前記ボウル部のボウル面に洗浄水を吐水する吐水部と、使用者の小便器の使用を検知する検知センサーと、前記吐水部による洗浄水の吐水を制御する制御部とを備え、前記制御部が、前記検知センサーが使用者の使用を検知しなくなった後に、前記吐水部から吐水を行う本洗浄吐水モードと、設定されたスケジュールに基づいて前記吐水部から洗浄水を吐水して前記排水トラップの下流側に接続される前記横引配管におけるバイオフィルムを含む有機物汚れの形成を抑制する有機物汚れ抑制吐水モードと、前記検知センサーが使用者の使用を検知している間において前記吐水部から吐水を行う尿希釈吐水モードとを有し、前記有機物汚れ抑制吐水モードで吐水される水量が、毎回一定であることにより、前述した課題を解決するものである。
このように構成された請求項１に係る発明の小便器によれば、有機物汚れ抑制吐水モードを実行することにより、排水トラップ及び横引配管においてバイオフィルムを発生させる細菌の増殖を抑制し、バイオフィルムを含む有機物汚れの形成を抑制することができる。また、仮に、バイオフィルムを含む有機物汚れが排水トラップ及び横引配管内に形成されたとしても、請求項１に係る発明の小便器によれば、有機物汚れ抑制吐水モードを実行することにより、有機物汚れを設定されたスケジュールに基づいて洗浄することができる。
さらに、仮に、バイオフィルムを含む有機物汚れが排水トラップ及び横引配管内に形成されたとしても、請求項１に係る発明の小便器によれば、尿希釈吐水モードを実行することにより、排尿がされてから本洗浄吐水モードが実行されるまでの排水トラップ及び横引配管内の洗浄水の尿濃度を低下させることができる。よって、洗浄水中の尿が有機物汚れにより比較的短時間で尿石を生じさせることを抑制することができる。
さらに、請求項１に係る発明の小便器によれば、尿希釈吐水モードが実行されることにより、本洗浄吐水モードが実行されるときに排水トラップ内の洗浄水の尿濃度が尿の希釈により低下されている。よって、本洗浄吐水モードの実行により、この実行時点の排水トラップ内の洗浄水中の尿が横引配管の上流側に流れる場合においても、横引配管内に残存する洗浄水の尿濃度が低減され、洗浄水中の尿が尿石を生じさせることを抑制することができる。
従って、請求項１に係る発明の小便器によれば、有機物汚れ抑制吐水モードと尿希釈吐水モードを組合せることにより、洗浄水中の尿が排水トラップ及び横引配管内においてバイオフィルムを含む有機物汚れにより尿石を生じさせることを抑制することができる。
また、有機物汚れ抑制吐水モードで使用する水量が、毎回一定であることにより、使用条件に因らず、確実にトラップ及び横引配管内の有機物汚れの堆積を抑制することができる。
【０００９】
請求項２に係る発明は、請求項１に記載された小便器の構成に加えて、前記尿希釈吐水モードにおける前記吐水部からの吐水の瞬間流量が、前記有機物汚れ抑制吐水モードにおける前記吐水部からの吐水の瞬間流量より小さいことにより、前述した課題を解決するものである。
このように構成された請求項２に係る発明の小便器によれば、請求項１に係る発明が奏する効果に加え、尿希釈吐水モードにおいて、排尿中の排水トラップ内の尿が横引配管に流入するとき、この流入の瞬間流量が比較的小さいことによりこの尿が横引配管の上流側に逆流するように流れてしまうことを抑制することができる。これにより、横引配管の上流側に尿石が生じることを抑制することができる。また、有機物汚れ抑制吐水モードにおける吐水の瞬間流量は尿希釈吐水モードにおける吐水の瞬間流量よりも高くなるので、有機物汚れ抑制吐水モードにおける吐水により横引配管を比較的広範囲に確実に洗浄することができる。よって、有機物汚れ抑制吐水モードと尿希釈吐水モードを組合せることにより、洗浄水中の尿が横引配管内においてバイオフィルムを含む有機物汚れにより尿石を生じさせることをより抑制することができる。
【００１０】
請求項３に係る発明は、請求項１または請求項２に記載された小便器の構成に加えて、前記本洗浄吐水モードにおける前記吐水部からの吐水の瞬間流量が、前記尿希釈吐水モードにおける前記吐水部からの吐水の瞬間流量より大きいことにより、前述した課題を解決するものである。
本洗浄吐水モードにおける吐水の瞬間流量はボウル面の洗浄性能を確保できる程度の流量が望ましい。一方で、尿希釈吐水モードにおける吐水の瞬間流量を本洗浄吐水モードにおける吐水の瞬間流量よりも大きくしたとしても、尿濃度の低下に寄与しにくくなる。
そこで、このように構成された請求項３に係る発明の小便器によれば、請求項１または請求項２に係る発明が奏する効果に加え、本洗浄吐水モードにおけるボウル面の洗浄性能を確保するとともに、尿希釈吐水モードに使用する洗浄水の無駄使いを抑制することができる。
【００１１】
請求項４に係る発明は、請求項１乃至請求項３のいずれか１項に記載された小便器の構成に加えて、前記有機物汚れ抑制吐水モードにおいて前記吐水部から吐水される水量が、前記本洗浄吐水モードにおいて前記吐水部から吐水される水量以上となることにより、前述した課題を解決するものである。
本洗浄吐水モードと有機物汚れ抑制吐水モードと尿希釈吐水モードとを組合せて吐水する場合において、使用者の使用回数によって増加する尿希釈吐水モードで吐水した流量に対し、全ての吐水モードの合計の吐水流量の増大を抑制しようとすると、例えば有機物汚れ抑制吐水モードで吐水する水量の低減によって調整することとなる。このとき、有機物汚れ抑制吐水モードにおいて１回分として吐水部から吐水される吐水される水量を本洗浄吐水モードにおいて１回分として吐水部から吐水される吐水される水量以上とする。
これにより、請求項４に係る発明の小便器によれば、有機物汚れ抑制吐水モードにおいて横引配管内に流入した洗浄水の水位は本洗浄吐水モードにおいて横引配管内に流入した洗浄水の水位より高くなるため、実行頻度が有機物汚れ抑制吐水モードの実行頻度よりも高い本洗浄吐水モードの実行時に横引配管の水位面付近に発生したバイオフィルムを含む有機物汚れを有機物汚れ吐水モードによって洗い流すことができる。従って、横引配管において洗浄水中の尿が有機物汚れにより比較的短時間で尿石を生じさせることをより抑制することができる。
【００１２】
請求項５に係る発明は、請求項１乃至請求項４のいずれか１項に記載された小便器の構成に加えて、前記制御部が、前記本洗浄吐水モードが終了してから有機物汚れ抑制吐水実行時間経過時に前記有機物汚れ抑制吐水モードを実行することにより、前述した課題を解決するものである。
このように構成された請求項５に係る発明の小便器によれば、請求項１乃至請求項４のいずれか１項に係る発明が奏する効果に加え、本洗浄吐水モードが終了してから有機物汚れ抑制吐水実行時間経過時に有機物汚れ抑制吐水モードを実行することにより、本洗浄吐水モードが終了してから有機物汚れ抑制吐水実行時間経過するまでに小便器の使用がなかった場合に排水トラップ内で成長していた有機汚れを洗い流せるため、より排水トラップ内の汚れの成長を抑制できる。
また、長時間小便器を使用しない場合に発生する自然乾燥による封水切れを防ぐことができるため、部屋内への臭気が漏れることを防ぐことができる。
【００１３】
請求項６に係る発明は、請求項５に記載された小便器の構成に加えて、前記有機物汚れ抑制吐水実行時間が、複数の所定時間から選択自在であることにより、前述した課題を解決するものである。
このように構成された請求項６に係る発明の小便器によれば、請求項５に係る発明が奏する効果に加え、有機物汚れ抑制吐水実行時間が、複数の所定時間から選択自在であることにより、設置場所に応じて最適な有機物汚れ抑制吐水実行時間を選択することができるため、汚れの堆積抑制と節水とを両立させることができる。
【００１４】
請求項７に係る発明は、請求項５に記載された小便器の構成に加えて、前記本洗浄吐水モードが終了してから前記有機物汚れ抑制吐水実行時間より短い有機物汚れ抑制吐水判定時間経過時において、前回の前記有機物汚れ抑制吐水モードを実行してからの小便器使用回数が所定回数以上であった場合は、前記有機物汚れ抑制吐水モードを実行し、前回の前記有機物汚れ抑制吐水モードを実行してからの小便器使用回数が所定回数より少なかった場合は、前記有機物汚れ抑制吐水実行時間経過時に前記有機物汚れ抑制吐水モードを実行することにより、前述した課題を解決するものである。
このように構成された請求項７に係る発明の小便器によれば、請求項５に係る発明が奏する効果に加え、本洗浄吐水モードが終了してから有機物汚れ抑制吐水実行時間より短い有機物汚れ抑制吐水判定時間経過時において、前回の有機物汚れ抑制吐水モードを実行してからの小便器使用回数が所定回数以上であった場合は、有機物汚れ抑制吐水モードを実行し、前回の有機物汚れ抑制吐水モードを実行してからの小便器使用回数が所定回数より少なかった場合は、有機物汚れ抑制吐水実行時間経過時に有機物汚れ抑制吐水モードを実行することにより、使用頻度に見合って有機物汚れ抑制吐水モードが実行されるため、より確実に排水トラップおよび建物配管内の汚れの堆積を抑制できる。
【００１５】
請求項８に係る発明は、請求項１乃至請求項４のいずれか１項に記載された小便器の構成に加えて、前記有機物汚れ抑制吐水モードが、一定時間ごとに実行されることにより、前述した課題を解決するものである。
このように構成された構成された請求項８に係る発明の小便器によれば、請求項１乃至請求項４のいずれか１項に係る発明が奏する効果に加え、有機物汚れ抑制吐水モードが、一定時間ごとに実行されることにより、使用頻度によらず確実に排水トラップ内が置換されるため、排水トラップ内の有機汚れの成長が抑制され、より確実に排水トラップおよび建物配管内の汚れの堆積を抑制できる。
【００１６】
請求項９に係る発明は、請求項１乃至請求項８のいずれか１項に記載された小便器の構成に加えて、前記有機物汚れ抑制吐水モードが、間欠的に実行されることにより、前述した課題を解決するものである。
このように構成された構成された請求項９に係る発明の小便器によれば、請求項１乃至請求項８のいずれか１項に係る発明が奏する効果に加え、有機物汚れ抑制吐水モードが、間欠的に実行されることにより、有機物汚れ抑制吐水モードを1回だけ行う場合に比べて建物配管内の有機物汚れが残存し難くなるため、より建物配管内の汚れの堆積を抑制することができる。
【発明の効果】
【００１７】
本発明によれば、洗浄水中の尿がバイオフィルムを含む有機物汚れにより比較的短時間で尿石を生じさせることを抑制することができる小便器を提供することができる。
【図面の簡単な説明】
【００１８】
【図１Ａ】使用者が排尿する前の状態の小便器の排水トラップ管路の一部を拡大して示し、バイオフィルムを含む有機物汚れが形成されている環境下において、非常に短時間でも尿石が発生する新たな知見を説明する図である。
【図１Ｂ】使用者が排尿した後、小便器の洗浄動作が行われるまで排水トラップ管路内に尿が満たされている状態を示し、バイオフィルムを含む有機物汚れが形成されている環境下において、非常に短時間でも尿石が発生する新たな知見を説明する図である。
【図１Ｃ】小便器の本洗浄動作が行われて排水トラップ管路内の尿が新たな洗浄水で置換された状態を示し、バイオフィルムを含む有機物汚れが形成されている環境下において、非常に短時間でも尿石が発生する新たな知見を説明する図である。
【図２Ａ】使用者の排尿後、図１Ａに示す排水トラップ管路が比較的高い尿濃度の洗浄水でほぼ満たされている状態を示し、バイオフィルムを含む有機物汚れが形成されている環境下において、同程度の期間において、排水トラップ管路及び横引配管内の洗浄水の尿濃度の違いにより、尿石の発生量に差が生じるという新しい知見を説明する図である。
【図２Ｂ】図２Ａに示す排水トラップ管路について本洗浄動作が行われた後の状態を示し、バイオフィルムを含む有機物汚れが形成されている環境下において、同程度の期間において、排水トラップ管路及び横引配管内の洗浄水の尿濃度の違いにより、尿石の発生量に差が生じるという新しい知見を説明する図である。
【図２Ｃ】使用者の排尿後、図１Ａに示す排水トラップ管路が比較的低い尿濃度の洗浄水でほぼ満たされている状態を示し、バイオフィルムを含む有機物汚れが形成されている環境下において、同程度の期間において、排水トラップ管路及び横引配管内の洗浄水の尿濃度の違いにより、尿石の発生量に差が生じるという新しい知見を説明する図である。
【図２Ｄ】図２Ｃに示す排水トラップ管路について本洗浄動作が行われた後の状態を示し、バイオフィルムを含む有機物汚れが形成されている環境下において、同程度の期間において、排水トラップ管路及び横引配管内の洗浄水の尿濃度の違いにより、尿石の発生量に差が生じるという新しい知見を説明する図である。
【図３】使用回数に対する有機物汚れの厚みを使用者の排尿時における排水トラップ管路内の洗浄水の尿濃度ごとに示す図である。
【図４Ａ】図１Ａに示す排水トラップ管路１４におけるバイオフィルムを含む有機物汚れの発生のメカニズムを示す図である。
【図４Ｂ】図４Ａに示す排水トラップ管路が比較的高い尿濃度の洗浄水でほぼ満たされている状態を示し、排水トラップ管路及び横引配管内の洗浄水の尿濃度の違いにより、尿石の発生のメカニズムが異なり、有機物汚れの厚みの増加に差が生じるという新しい知見を説明する図である。
【図４Ｃ】図４Ｂに示すように排水トラップ管路内に高ｐＨ環境が生じる場合においては、リン酸マグネシウムアンモニウムを析出させる反応が支配的となることを説明する図である。
【図４Ｄ】図４Ｃに示すような反応によりリン酸マグネシウムアンモニウムが粒子径の比較的大きな結晶性の尿石を生じさせた状態を説明する図である。
【図４Ｅ】図４Ａに示す排水トラップ管路が比較的低い尿濃度の洗浄水でほぼ満たされている状態を示し、排水トラップ管路及び横引配管内の洗浄水の尿濃度の違いにより、尿石の発生のメカニズムが異なり、有機物汚れの厚みの増加に差が生じるという新しい知見を説明する図である。
【図４Ｆ】図４Ｅに示すように排水トラップ管路内のｐＨ上昇が比較的低く抑制されている環境においては、リン酸カルシウムを析出させる反応が支配的となることを説明する図である。
【図４Ｇ】図４Ｆに示すような反応によりリン酸カルシウムが粒子径の比較的小さな非結晶性の尿石を生じさせた状態を説明する図である。
【図５】本発明の第１実施形態である小便器の設置状況を示す図。
【図６】本発明の第１実施形態である小便器の概略斜視図。
【図７】本発明の第１実施形態である小便器の側面断面図。
【図８】本発明の第１実施形態である小便器の自動洗浄ユニットの構成を示す概略図。
【図９】本発明の第１実施形態である小便器において、小便器の動作を示すフローチャート。
【図１０】本発明の第１実施形態である小便器において、実際の動きを示すタイムチャート。
【図１１】本発明の第２実施形態である小便器において、小便器を使用する使用回毎の動作を示すフローチャート。
【図１２】本発明の第２実施形態である小便器において、実際の動きを示すタイムチャート。
【図１３】本発明の第２実施形態である小便器において、有機物汚れ抑制吐水モードの動作を示すフローチャート。
【００１９】
＜１．本発明者により見出された新たな尿石発生メカニズム＞
本発明者等は、鋭意研究することにより、バイオフィルムを含む有機物汚れが形成されている環境下において、非常に短時間でも尿石が発生するという以下の新しい知見を見出した。
【００２０】
従来から、以下のように尿石等の無機物汚れに着目した尿石の発生のメカニズムが知られている。
このメカニズムにおいては、使用者の小便器の使用後に排尿が排水トラップ管路及び横引配管に滞留し、この滞留した尿に一般細菌が付着する。
この一般細菌の代謝過程において、ウレアーゼと呼ばれる酵素が排出される。
このウレアーゼ酵素によって尿中の尿素が分解され、アンモニアが発生する。
アンモニアが水溶することで尿を含む液体中のｐＨが上昇し、アルカリ性となる。
ｐＨが８．０〜８．５を超えるような比較的高い環境になると、尿中に含まれるＣａ及びＭｇの炭酸塩、リン酸塩などの溶解度が低下するため尿液中にこれらの塩が析出し、尿石として排水トラップ管路及び横引配管に付着する。
このような無機物汚れの尿石の発生は、２時間以上の比較的長時間にわたって比較的緩やかに進行すると考えられてきた。
【００２１】
これに対し、本発明者等は、排水トラップ管路及び横引配管内に発生する汚れのうち無機物汚れと異なる有機物汚れに新たに着目し、バイオフィルムを含む有機物汚れが形成されている環境下において、数秒程度の非常に短時間でも尿石が発生するという知見を得た。
【００２２】
図１Ａ乃至図１Ｃに示すように、短時間での尿石Ｕの発生のメカニズムは、バイオフィルムを含む有機物汚れＶに着目したものであり、以下のように説明される。
有機物汚れＶは、一般細菌等の細菌Ｘが増殖する過程で放出するＥＰＳ(細胞外多糖類：Extracellular Poly Succharide)を中心としたバイオフィルム、尿中に含まれるタンパク質などが複合して形成される。
このような有機物汚れＶは配管内のぬめりとして知られ、非常に粘性の高い粘液を形成する。
このような有機物汚れＶのバイオフィルムは、排水トラップＴ及び横引配管ＨＰ等に付着した細菌Ｘが細胞外に多糖類のポリマーを生成し、これに包まれることで細胞の脱離が抑えられるようになり、発達すると考えられている。
【００２３】
図１Ａにおいては、使用者が小便器に排尿する前の状態の小便器の排水トラップＴの一部を拡大して示している。
図１Ａに示す排水トラップＴは、使用者が小便器を多数回にわたり使用し続けた後の状態となっている。
排水トラップＴは、前回の本洗浄吐水モードにより吐水された洗浄水を貯留している。
以下、図１Ａ乃至図４Ｇにおいては排水トラップＴ内の状態及び反応を説明しているが、横引配管ＨＰ等の排水トラップＴの下流側の設備配管内の状態及び反応についてもほぼ同様であり、横引配管ＨＰ等にも適用される。
【００２４】
使用者が小便器を使用した後、排水トラップＴに有機物汚れＶのバイオフィルムが形成されている場合、細菌Ｘがこのバイオフィルムを発生且つ発達させている。
バイオフィルムは、スポンジ状の内部構造体を形成しており、内部に細菌Ｘやアンモニア（又はアンモニウムイオンＮＨ４＋）を保持しやすくなっている。
細菌Ｘはウレアーゼ酵素を排出し、このウレアーゼ酵素が尿中の尿素を分解し、アンモニア（又はアンモニウムイオンＮＨ４＋）が発生されている。
よって、バイオフィルム近傍領域にはアンモニア（又はアンモニウムイオンＮＨ４＋）が多量に存在している状態となっている。
有機物汚れＶの近傍の液中にアンモニアが水溶してアンモニウムイオンＮＨ４＋を生じさせることで有機物汚れＶの近傍の領域のｐＨが比較的高い値まで上昇する。
バイオフィルムを含む有機物汚れＶの近傍の高ｐＨ環境領域ＹのｐＨは、８以上、好ましくは９以上、好ましくは８〜１０の範囲の値となる。
【００２５】
図１Ｂにおいては、図１Ａに示すような状態の排水トラップＴを有する小便器において、使用者が排尿し、小便器の洗浄動作が行われるまでの比較的短時間の間において、排水トラップＴ内が尿でほぼ満たされている状態を示している。
この尿が、有機物汚れＶの近傍の高ｐＨ環境領域Ｙに触れる又は接近することにより、尿中に含まれるＣａ及びＭｇの炭酸塩、リン酸塩などが析出し、数秒程度の非常に短時間で尿石Ｕが発生するというメカニズムが見いだされた。
【００２６】
図１Ｃにおいては、図１Ｂに示すような排水トラップＴ内が尿でほぼ満たされている状態から、小便器の洗浄動作が行われた後、排水トラップＴ内の尿が新たな洗浄水で置換された状態を示している。
排水トラップＴ内の尿は新たな洗浄水で置換されるものの、析出した尿石Ｕは有機物汚れＶに吸着された状態のままとなる。
バイオフィルムは、スポンジ状の内部構造体を形成していることから、尿石Ｕも保持されやすい。
このように尿石Ｕが付着していると、この尿石Ｕ自身にさらに細菌Ｘが付着しやすくなり、尿石Ｕの発生がより促進されることも見いだされた。
このようにして、毎回の短時間の洗浄の積み重ねによって、有機物汚れＶ上に短時間で尿石が析出し、尿石Ｕが積層されることが見出された。
【００２７】
本発明者等は、このような新たな知見に基づいて、尿を含む洗浄水がバイオフィルムと接することにより比較的短時間で尿石を発生させるメカニズムの作動を抑制し、排水トラップＴ及び横引配管ＨＰにおける尿石の発生を抑制する技術を発明したものである。
【００２８】
さらに、本発明者等は、鋭意研究することにより、バイオフィルムを含む有機物汚れが形成されている環境下において、同程度の期間において、排水トラップＴ及び横引配管ＨＰ内の洗浄水の尿濃度の違いにより、尿石が発生する量に差がでるという以下の新しい知見を見出した。
【００２９】
図２Ａにおいては、図１Ａに示すような排水トラップＴを有する小便器において、使用者が排尿し、小便器の洗浄動作が行われるまでの比較的短時間の間において、排水トラップＴ内が比較的高い尿濃度の洗浄水でほぼ満たされている状態を示している。
この比較的高い尿濃度の洗浄水が、有機物汚れＶの近傍の高ｐＨ環境領域Ｙに触れる又は接近することにより、数秒程度の非常に短時間で尿石Ｕが比較的多く発生する。
【００３０】
図２Ｂに示すように、比較的多く発生した尿石Ｕは、小便器の洗浄動作が行われて、排水トラップＴ内の洗浄水が新しい洗浄水に置換された後も、有機物汚れＶに吸着された状態のままとなる。
図３に示すように、使用者の排尿時に、比較的高い尿濃度の洗浄水が、排水トラップＴ内に流入することが、小便器の使用の度に繰り返されることにより、このように発生した尿石Ｕが排水トラップＴ上に多く蓄積し、有機物汚れＶの厚みを比較的大きくさせる。
【００３１】
一方、図２Ｃにおいては、図１Ａに示すような排水トラップＴを有する小便器において、使用者が排尿し、小便器の洗浄動作が行われるまでの比較的短時間の間において、排水トラップＴ内が比較的低い尿濃度の洗浄水でほぼ満たされている状態を示している。
この比較的低い尿濃度の洗浄水が、有機物汚れＶの近傍の高ｐＨ環境領域Ｙに触れる又は接近することにより、数秒程度の非常に短時間で尿石Ｕが比較的少なく発生する。
このように、使用者が排尿した後、小便器の洗浄動作が行われるまでの毎回の同程度の時間において、尿石Ｕの発生量は排水トラップＴ内の洗浄水の尿濃度に依存する知見が見出された。
よって、排水トラップＴ内の洗浄水の尿濃度を低減できれば尿石Ｕの析出量を抑制することができる知見も見出された。
【００３２】
図２Ｄに示すように、比較的少なく発生した尿石Ｕも、小便器の洗浄動作が行われた後、有機物汚れＶに吸着された状態のままとなる。
図３に示すように、使用者の排尿時に、比較的低い尿濃度の洗浄水が、排水トラップＴ内に流入することが、小便器の使用の度に繰り返される場合には、比較的少ない尿石Ｕが排水トラップＴ上に蓄積するので、有機物汚れＶの厚みを抑制できる。
毎回の使用者の排尿時における排水トラップＴ内の洗浄水の尿濃度の差が、使用回数が多くなるごとに、より大きな有機物汚れＶの厚みの差となる知見も見出された。
【００３３】
さらに、本発明者等は、鋭意研究することにより、排水トラップＴ及び横引配管ＨＰ内の洗浄水の尿濃度の違いにより、尿石の発生のメカニズムが異なり、有機物汚れＶの厚みの増加に差がでるという以下の知見を見出した。
【００３４】
図４Ａにおいては、上述の図１Ａに示すような、排水トラップＴ及び横引配管ＨＰにおけるバイオフィルムを含む有機物汚れＶの発生のメカニズムを再び示している。
図４Ａにおける（ａ）工程に示すように、使用者の排尿が排水トラップＴに付着し、細菌Ｘが尿に付着して排水トラップＴ上で増殖する。
時間の経過及び／又は小便器の使用回数の増加に伴い、図４Ａにおける（ａ）工程から（ｂ）工程に進む。
【００３５】
図４Ａにおける（ｂ）工程に示すように、排水トラップＴには有機物汚れＶのバイオフィルムが形成される。
次に、（ｂ）工程から（ｃ）工程に進む。
図４Ａにおける（ｃ）工程に示すように、バイオフィルムは、内部に細菌Ｘやアンモニア（又はアンモニウムイオンＮＨ４＋）を保持しやすくなっている。
バイオフィルム内部の細菌Ｘはウレアーゼ酵素Ｚを排出し、このウレアーゼ酵素Ｚが尿中の尿素を分解し、アンモニア（又はアンモニウムイオンＮＨ４＋）が発生することとなる。
このように、使用者が小便器に排尿する前の状態において、小便器の排水トラップＴの一部が、図４Ａ（ｃ）に示すような有機物汚れＶが形成されている状態となっている。
【００３６】
図４Ｂに示すように、図４Ａ（ｃ）に示すような有機物汚れＶが形成された排水トラップＴに、比較的高い尿濃度の排尿及び/又は洗浄水が流入するとき、尿素が比較的多いため、ウレアーゼ酵素Ｚが分解する尿中の尿素が比較的多く、アンモニアが比較的多く発生する。
これらのアンモニアが水溶することでアンモニウムイオンＮＨ４＋を生じさせ、有機物汚れＶの近傍の領域のｐＨが比較的高い値まで上昇する。
【００３７】
図４Ｃに示すように、図４Ｂに示すような高ｐＨ環境下においては、尿を含む液体中の無機物、例えばＣａ２＋、Ｍｇ２＋、ＮＨ４＋、ＰＯ４３−等がアンモニアと反応して、リン酸マグネシウムアンモニウムを析出させる反応が支配的となる。
リン酸マグネシウムアンモニウムはアルカリ性環境下で尿液から生成されやすい尿石成分となる。
【００３８】
図４Ｄに示すように、リン酸マグネシウムアンモニウムは粒子径の比較的大きな結晶性の尿石を生じさせる。
図４Ｄは走査型電子顕微鏡（ＳＥＭ）により得られた画像であり、表示倍率は２０００倍である。
この画像は、後述するように、本発明の実施形態における小便器の排水トラップ管路及び横引配管内の有機物汚れの発生を再現するような実験により得られた有機物汚れを撮影したものである。
バイオフィルム中にこのような比較的粒子径の大きな尿石が混在することにより、尿石の厚み及び有機物汚れＶの厚みが増大しやすくなる。
このようなリン酸マグネシウムアンモニウムの尿石を主に含む有機物汚れＶの厚みは、後述するリン酸カルシウムの尿石を含む有機物汚れＶの厚みよりも増大されやすい。
排水トラップＴ内の洗浄水の尿濃度が高くなるほど、リン酸マグネシウムアンモニウムの析出割合が増大し、有機物汚れＶの厚みが増大する。
【００３９】
一方、図４Ｅに示すように、図４Ａ（ｃ）に示すような有機物汚れＶが形成された排水トラップＴに、比較的低い尿濃度の排尿及び/又は洗浄水が流入するときを説明する。
このとき、尿素が比較的少ないため、ウレアーゼ酵素Ｚが分解する尿中の尿素が比較的少なく、アンモニアの発生が比較的少ない。
よって、アンモニアが水溶して生じるアンモニウムイオンＮＨ４＋によるｐＨの上昇は比較的低く抑制される。
【００４０】
図４Ｆに示すように、図４Ｅに示すようなｐＨ上昇が比較的低く抑制されている環境下においては、尿を含む液体中の無機物、例えばＣａ２＋、Ｍｇ２＋、ＰＯ４３−等どうしが反応して、リン酸カルシウムを析出させる反応が支配的となる。
リン酸カルシウムは上述したリン酸マグネシウムアンモニウムが尿液から生成されやすい環境下よりも中性に近い環境下においても尿液から生成されやすい尿石成分となる。
【００４１】
図４Ｇに示すように、リン酸カルシウムは粒子径の比較的小さな非結晶性の尿石を生じさせる。
図４Ｇは走査型電子顕微鏡（ＳＥＭ）により得られた画像であり、表示倍率は２００３倍である。
この画像は、後述するように、本発明の実施形態における小便器の排水トラップ管路及び横引配管内の有機物汚れの発生を再現するような実験により得られた有機物汚れを撮影したものである。
リン酸カルシウムの尿石は、リン酸マグネシウムアンモニウムの尿石よりも小さい。
バイオフィルム中にこのような比較的粒子径の小さな尿石が混在することにより、尿石の厚み及び有機物汚れＶの厚みは少しずつ増加する。
粒子径の小さな尿石が主成分となる場合には、厚みの増加ペースは比較的遅くなり、厚みが増大されにくくなる。
排水トラップＴに流入する洗浄水中の尿濃度が低くなるほど、リン酸カルシウムの析出割合が増大し、有機物汚れＶの厚みは増大されにくくなる。
【００４２】
本発明者等は、このような新たな知見に基づいて、排水トラップＴに流入する洗浄水の尿濃度を調整し、排水トラップＴ及び横引配管ＨＰに付着する尿石の厚みを抑制する技術を発明したものである。
【００４３】
＜２．第１実施形態＞
図５乃至図１０に基づいて、本発明の第１実施形態である小便器１００について説明する。
【００４４】
＜２．１．小便器の設置状況＞
まず、本発明の第１実施形態である小便器の設置状況を示す図である図５を用いて、本発明の第１実施形態である小便器１００の設置状況を説明する。
図５に示すように、本発明の第１実施形態である小便器１００は、建築物の壁面Ｗの表側に複数個並んで設置されている。
この小便器１００の設置された壁面Ｗの裏側下方には、わずかに下り傾斜しながら横向きに延びる排水用の横引配管ＨＰが接続されている。
この横引配管ＨＰはさらに下流の縦排水管ＶＰに接続されている。
小便器１００は、それぞれ、小便器１００の下部の壁面側から壁面Ｗを通って壁面Ｗの裏側に設置された横引配管ＨＰに排水するようになっている。
【００４５】
＜２．２．小便器の構造＞
次に、図６乃至図８を用いて、本発明の第１実施形態である小便器１００の構造について説明する。
図６は本発明の第１実施形態である小便器の概略斜視図であり、図７は本発明の第１実施形態である小便器の側面断面図であり、図８は本発明の第１実施形態である小便器の自動洗浄ユニットの構成を示す概略図である。
【００４６】
図６乃至図８に示すように、小便器１００は、陶器製の便器本体１１０と、この便器本体１１０を洗浄するための洗浄水を自動的に便器本体１１０に吐水する吐水装置である自動洗浄ユニット１２０とを備えている。
【００４７】
便器本体１１０の正面側には、排尿を受けるボウル面１１１ａを有するボウル部１１１が形成されており、このボウル部１１１よりも壁面Ｗ側の便器本体１１０の上方領域には、自動洗浄ユニット１２０の一部を収納するための収納室１１２が形成されている。
また、便器本体１１０のボウル部１１１の底部には、排水口１１１ｂが形成されている。
便器本体１１０は、さらに、排水口１１３の下流側に、その内部に封水を形成する排出部である排水トラップ１３０を備えている。
排水トラップ１３０は排水口１１３と連通している。
この排水トラップ１３０の下流側には、壁面Ｗを貫通する流路を形成する排水ソケットＳ等を介して、横引配管ＨＰが接続されている。
【００４８】
排水トラップ１３０は、排水トラップ１３０内に封水を形成するように貯留される洗浄水の容積が、２００ｍｌ以下となるような節水型トラップとして形成されている。
このような節水型トラップの排水トラップ１３０は、従来の７００ｍｌ程度の容積の排水トラップに比べて少ない洗浄水の水量により排水トラップ１３０内の洗浄水を置換することができる。
節水型の排水トラップ１３０の容積は、好ましくは、４０ｍｌ〜２００ｍｌの範囲内であり、より好ましくは、１２０ｍｌ〜２００ｍｌの範囲内であり、より好ましくは１２０ｍｌである。
このような節水型の排水トラップは、使用者の排尿の尿量よりも少ない容積を有していることから、排水トラップ１３０内の洗浄水の尿濃度が高くなりやすく、この尿を希釈することが排水トラップ１３０及び横引配管ＨＰ内の尿石付着の抑制に効果的となる。
【００４９】
図８に示すように、自動洗浄ユニット１２０は、水道等の給水源（図示せず）から洗浄水が供給される主給水路１２１ａを形成する主給水管１２１と、この主給水管１２１を止水する止水栓１２２と、主給水管１２１の下流側端部に接続されて且つ主給水管１２１を第１の給水管１２３ａと第２の給水管１２３ｂに分岐する分岐部である管継手１２５とを備えている。
また、管継手１２５によって主給水管１２１から分岐された一方の第１の給水管１２３ａには、その内部の給水路（第１の給水路１２４ａ）内を通過する洗浄水の瞬間流量について第１の所定の瞬間流量Ｑ１[リットル／分]に調整する第１の定流量弁１２６ａが設けられている。
さらに、この第１の定流量弁１２６ａの下流側には、第１の給水路１２４ａを開閉する第１の開閉弁１２７ａが設けられている。
この第１の開閉弁１２７ａの下流側の第１の給水路１２４ａの下流側端部には、ボウル部１１１内に洗浄水を吐水する吐水装置の一部であるスプレッダ１２８（吐水部）が設けられており、このスプレッダ１２８の第１の吐水部１２８ａが第１の給水路１２４ａの下流側端部と接続されている。
なお、本実施形態では、第１の所定の瞬間流量Ｑ１[リットル／分]は、好ましくは８[リットル／分]〜１７[リットル／分]、より好ましくは８[リットル／分]〜１２[リットル／分]、さらにより好ましくは９[リットル／分]に設定される。
【００５０】
一方、管継手１２５によって主給水管１２１から分岐された他方の第２の給水管１２３ｂには、その内部の給水路（第２の給水路１２４ｂ）内を通過する洗浄水の瞬間流量について、第１の所定の瞬間流量Ｑ１[リットル／分]よりも低い第２の所定の瞬間流量Ｑ２[リットル／分]に調整する第２の定流量弁１２６ｂが設けられている。
また、この第２の定流量弁１２６ｂの下流側には、第２の給水路１２４ｂを開閉する第２の開閉弁１２７ｂが設けられている。
この第２の開閉弁１２７ｂの下流側の第２の給水路１２４ｂの下流側端部には、スプレッダ１２８の第２の吐水部１２８ｂが接続されている。
なお、本実施形態では、第２の所定の瞬間流量Ｑ２[リットル／分]は、好ましくは０．１[リットル／分]〜８．０[リットル／分]に設定され、より好ましくは０．１[リットル／分]〜０．６[リットル／分]に設定され、さらにより好ましくは０．３[リットル／分]に設定される。
なお、第１の所定の瞬間流量Ｑ１[リットル／分]と第２の所定の瞬間流量Ｑ２[リットル／分]との瞬間流量差は、好ましくは１．０[リットル／分]〜８．９[リットル／分]に設定される。
【００５１】
つぎに、第２の開閉弁１２７ｂの下流側には、電解除菌水ユニット１２９が設けられており、この電解除菌水ユニット１２９は、電解除菌水を生成する電解槽（図示せず）を備えており、第２の吐水部１２８ｂに電解除菌水を供給する電解除菌水供給部として機能するようになっている。
【００５２】
また、自動洗浄ユニット１２０は、スプレッダ１２８に設けられて便器本体１１０の正面側に立つ使用者の有無を検知する人体検知センサーとしての検知センサー１２８ｃと、この検知センサー１２８ｃから送信される検知信号を受信すると共に所定の制御プログラム等に基づいて第１の開閉弁１２７ａ及び第２の開閉弁１２７ｂのそれぞれの動作を制御する制御部であるコントローラー１２０Ａを備えている。
【００５３】
検知センサー１２８ｃは、赤外線式の人体検知センサーである。
検知センサー１２８ｃは、使用者の小便器の使用（使用しているという使用状態）を検知する他の検知センサー、例えば、マイクロ波を使用したドップラー式のセンサー、又は使用者の小便器の使用による尿の流れを検知する流量検知センサー等であってもよい。
ドップラー式のセンサーは、使用者の人体の検知だけでなく尿流の検知も可能となるため、ボウル面への排尿の有無をより正確に特定することができる。
【００５４】
コントローラー１２０Ａは、ＣＰＵ及びメモリ等を内蔵し、所定の制御プログラム等に基づいて他の機器の制御を行うことができる。
コントローラー１２０Ａは、第１の開閉弁１２７ａの開閉動作を制御することにより、第１の吐水部１２８ａからの後述する本洗浄吐水モード又は有機物汚れ抑制吐水モードの吐水の開始及び終了を制御する。
コントローラー１２０Ａは、第２の開閉弁１２７ｂの開閉動作を制御することにより、第２の吐水部１２８ｂからの後述する尿希釈吐水モード又は電解除菌水の吐水の開始及び終了を制御する。
【００５５】
なお、本実施形態では、自動洗浄ユニット１２０の第１の給水路１２４ａ及び第２の給水路１２４ｂのそれぞれの洗浄水の瞬間流量Ｑ１，Ｑ２を調整する流量調整手段として、第１の定流量弁１２６ａと第２の定流量弁１２６ｂのそれぞれを採用した形態について説明するが、これらの形態に限られず、例えば、定流量弁以外にも、流量センサー等を使用して洗浄水を適正な流量に調整する他の流量調整手段を採用し、この他の流量調整手段の動作をコントローラー１２０Ａにより制御するようにしてもよい。
また、流路中に開度が調整自在な電動弁を備え、単一の吐水部から複数の瞬間流量を吐水可能にしてもよい。
【００５６】
＜２．３．小便器の動作＞
続いて、図９および図１０を用いて本発明の第１実施形態である小便器１００の動作について説明する。
図９は本発明の第１実施形態である小便器において、小便器の動作を示すフローチャートであり、図１０は本発明の第１実施形態である小便器において、実際の動きを示すタイムチャートである。
【００５７】
コントローラー１２０Ａは、検知センサー１２８ｃが使用者の使用を検知している間のうち所定の期間において第２の吐水部１２８ｂから吐水を行う尿希釈吐水モードと、検知センサー１２８ｃが使用者の使用を検知しなくなった後に、第１の吐水部１２８ａから吐水を行う本洗浄吐水モードと、設定されたスケジュールに基づいて第１の吐水部１２８ａから洗浄水を吐水して排水トラップ１３０及び横引配管ＨＰにおけるバイオフィルムを含む有機物汚れの形成を抑制する有機汚れ抑制吐水モードとを備えている。
【００５８】
＜２．３．１．使用回毎の動作＞
まず、図９および図１０を用いて本発明の第１実施形態である小便器１００の使用回毎の動作について説明する。
【００５９】
小便器１００に通電しているあいだ、小便器１００の検知センサー１２８ｃは使用を検知している（ステップＳ１００）。
そして、小便器１００の検知センサー１２８ｃが、使用者がボウル部１１１の前に立つと、検知センサー１２８ｃが使用者の使用を検知してステップＳ１０１に進む（このときの時刻ｔ１０とする；図１０参照）。
【００６０】
＜２．３．１．１．尿希釈吐水モード＞
時刻ｔ１０経過後（すなわち、ステップＳ１０１において）、コントローラー１２０Ａは第２の開閉弁１２７ｂを開弁する。
これにより、スプレッダ１２８の第２の吐水部１２８ｂからボウル部１１１のボウル面１１１ａに向かって瞬間流量Ｑ２で吐水が実行される。
そして、ステップＳ１０２に進む。
【００６１】
ステップＳ１０２では、第２の吐水部１２８ｂからの吐水中に検知センサー１２８ｃが使用を検知しているか否かを判定する。
使用を検知している場合は、ステップＳ１０２を繰り返す。
使用を検知しなくなった場合は、ステップＳ１０３へ進む。
【００６２】
検知センサー１２８ｃが人体を検知しなくなった場合（すなわち、ステップＳ１０３において）、コントローラー１２０Ａは第２の開閉弁１２７ｂを閉弁し、第２の吐水部１２８ｂからの吐水を終了させる。
その後、ステップＳ１０４へと進む（このときの時刻を時刻ｔ１１とする；図１０参照）。
【００６３】
このようにステップＳ１０１、ステップＳ１０２、ステップＳ１０３は「使用者の使用を検知してから、使用者の使用を検知しなくなるまでの時間」であり、換言すれば「使用者がボウル部１１１へ排尿している最中に吐水を行うことで、排水トラップ１３０へ流入する尿を希釈している時間」であり、この３ステップの実行を「尿希釈吐水モード」という。
【００６４】
＜２．３．１．２．本洗浄吐水モード＞
時刻ｔ１１経過後（すなわち、ステップＳ１０４において）、コントローラー１２０Ａは第１の開閉弁１２７ａを開弁する。
これにより、スプレッダ１２８の第１の吐水部１２８ａからボウル部１１１のボウル面１１１ａに向かって瞬間流量Ｑ１で吐水する。
なお、このときの吐水時間を本洗浄時間Ｔａ（例えば３．３秒）とし、本洗浄時間Ｔａ終了後の時刻を時刻ｔ１２とする（図１０参照）。
そして、時刻ｔ１２経過後、ステップＳ１０５に進む。
【００６５】
このステップＳ１０４は「使用者の使用を検知しなくなった後に、スプレッダ１２８の第１の吐水部１２８ａから吐水が行われる」時間であり、換言すれば「ボウル部１１１を洗浄すると共に排水トラップ１３０内を洗浄水に置換する時間」であり、ステップＳ１０４が実行されている時間を「本洗浄吐水モード」という。
なお、「本洗浄吐水モード」で使用される水量（すなわち、第１の吐水部１２８ａから吐水される水量）は、約０．５リットルである。
【００６６】
ステップＳ１０５では、小便器１００が１回使用されたため、使用回数カウンターｐ（変数）に１を加える。
そして、ステップＳ１０６へ進む。
【００６７】
＜２．３．２．有機物汚れ抑制吐水モード＞
ステップＳ１０６では、再び小便器１００の使用を検知する。
検知センサー１２８ｃが小便器１００の使用を検知した場合は、ステップＳ１０１に戻る。
検知センサー１２８ｃが小便器１００の使用を検知しない場合は、ステップＳ１０７へ進む。
【００６８】
ステップＳ１０７では、時刻ｔ１２から有機物汚れ抑制吐水判定時間Ｔｂ（例えば１時間）を経過したか否かを判定する。
時刻ｔ１２から有機物汚れ抑制吐水判定時間Ｔｂ経過していない場合はステップＳ１０６に戻る。
時刻ｔ１２から有機物汚れ抑制吐水判定時間Ｔｂ経過した場合（このときの時刻をｔ１３とする；図１０参照）はステップＳ１０８に進む。
【００６９】
ステップＳ１０８では、前回の有機物汚れ抑制吐水モードを実行してから時刻ｔ１３に至るまでのあいだの小便器の使用回数カウンターｐが所定回数Ｐ以上になったか否かを判定する。
前回の有機物汚れ抑制吐水モードを実行してから時刻ｔ１３に至るまでのあいだの小便器の使用回数カウンターｐが所定回数Ｐ以上になった場合は、ステップＳ１０９に進む（図１０の（ａ）のパターンになる）。
前回の有機物汚れ抑制吐水モードを実行してから時刻ｔ１３に至るまでのあいだの小便器１００の使用回数カウンターｐが所定回数Ｐより少ない場合は、ステップＳ１１０に進む（図１０の（ｂ）のパターンになる）。
【００７０】
ステップＳ１１０では、時刻ｔ１２から有機物汚れ抑制吐水実行時間Ｔｄ（例えば２時間）を経過したか否かを判定する。
時刻ｔ１２から有機物汚れ抑制吐水実行時間Ｔｄ経過していない場合はステップＳ１０６に戻る。
時刻ｔ１２から有機物汚れ抑制吐水実行時間Ｔｄ経過した場合（このときの時刻をｔ１５とする；図１０の（ｂ）参照）はステップＳ１０９に進む。
なお、有機物汚れ抑制吐水実行時間Ｔｄは、複数の所定の実行時間から適宜選択自在となっている。
【００７１】
ステップＳ１０９において、コントローラー１２０Ａは第１の開閉弁１２７ａを開弁する。
これにより、スプレッダ１２８の第１の吐水部１２８ａからボウル部１１１のボウル面１１１ａに向かって瞬間流量Ｑ１で間欠的に吐水する。
ステップＳ１０９において、吐水開始から吐水終了までの時間（吐水時間）を有機物汚れ抑制吐水時間Ｔｃ（例えば１３．２秒）とする。
その後、ステップＳ１１１に進む。
【００７２】
ステップＳ１１１では、小便器１００の使用回数カウンターｐをゼロにリセットする。
【００７３】
この一連のステップＳ１０６、ステップＳ１０７、ステップＳ１０８、ステップＳ１０９、ステップＳ１１０は「排水トラップ１３０及び横引配管ＨＰにおいてバイオフィルムを発生させる細菌の増殖を抑制するための吐水」であり、この５ステップの実行を「有機物汚れ抑制吐水モード」という。
すなわち、この「有機物汚れ抑制吐水モード」は、「本洗浄吐水モード」が終了してから図１０の（ａ）のパターン（前回の有機物汚れ抑制吐水モードが実行されてからの小便器１００の使用回数が所定回数Ｐより少なかった場合）においては有機物汚れ抑制吐水判定時間Ｔｃ後に、図１０の（ｂ）のパターン（前回の有機物汚れ抑制吐水モードが実行されてからの小便器１００の使用回数が所定回数Ｐ以上であった場合）においては有機物汚れ抑制吐水実行時間Ｔｄ後に実行される。
なお、「有機物汚れ抑制吐水モード」で使用される水量（すなわち、第１の吐水部１２８ａから吐水される水量）は毎回一定であり、その水量は複数の所定流量（例えば、１リットル、２リットル、４リットル）から選択自在である。
【００７４】
＜２．４．作用効果＞
このようにして得られた本発明の第１実施形態である小便器１００は、有機物汚れ抑制吐水モードを実行することにより、排水トラップ１３０及び横引配管ＨＰにおいてバイオフィルムを発生させる細菌の増殖を抑制し、バイオフィルムを含む有機物汚れの形成を抑制することができる。また、仮に、バイオフィルムを含む有機物汚れが排水トラップ及び横引配管ＨＰ内に形成されたとしても、小便器１００によれば、有機物汚れ抑制吐水モードを実行することにより、有機物汚れを設定されたスケジュールに基づいて洗浄することができる。
さらに、仮に、バイオフィルムを含む有機物汚れが排水トラップ１３０及び横引配管ＨＰ内に形成されたとしても、小便器１００によれば、尿希釈吐水モードを実行することにより、排尿がされてから本洗浄吐水モードが実行されるまでの排水トラップ１３０及び横引配管ＨＰ内の洗浄水の尿濃度を低下させることができる。よって、小便器１００によれば、洗浄水中の尿が有機物汚れにより比較的短時間で尿石を生じさせることを抑制することができる。
さらに、小便器１００によれば、尿希釈吐水モードが実行されることにより、本洗浄吐水モードが実行されるときに排水トラップ内の洗浄水の尿濃度が尿の希釈により低下されている。よって、本洗浄吐水モードの実行により、この実行時点の排水トラップ１３０内の洗浄水中の尿が横引配管ＨＰの上流側に流れる場合においても、横引配管ＨＰ内に残存する洗浄水の尿濃度が低減され、洗浄水中の尿が尿石を生じさせることを抑制することができる。
従って、小便器１００によれば、有機物汚れ抑制吐水モードと尿希釈吐水モードを組合せることにより、洗浄水中の尿が排水トラップ１３０及び横引配管ＨＰ内においてバイオフィルムを含む有機物汚れにより尿石を生じさせることを抑制することができる。
また、有機物汚れ抑制吐水モードで使用する水量が、毎回一定であることにより、使用条件に因らず、確実に排水トラップ１３０及び横引配管ＨＰ内の有機物汚れの堆積を抑制することができる。
【００７５】
さらに、尿希釈吐水モードにおいて、排尿中の排水トラップ１３０内の尿が横引配管ＨＰに流入するとき、この流入の瞬間流量が比較的小さいことによりこの尿が横引配管ＨＰの上流側に逆流するように流れてしまうことを抑制することができる。これにより、横引配管ＨＰの上流側に尿石が生じることを抑制することができる。また、有機物汚れ抑制吐水モードにおける吐水の瞬間流量は尿希釈吐水モードにおける吐水の瞬間流量よりも高くなるので、有機物汚れ抑制吐水モードにおける吐水により横引配管ＨＰを比較的広範囲に確実に洗浄することができる。よって、有機物汚れ抑制吐水モードと尿希釈吐水モードを組合せることにより、洗浄水中の尿が横引配管ＨＰ内においてバイオフィルムを含む有機物汚れにより尿石を生じさせることをより抑制することができる。
【００７６】
さらに、本洗浄吐水モードにおけるボウル面１１１ａの洗浄性能を確保するとともに、尿希釈吐水モードに使用する洗浄水の無駄使いを抑制することができる。
【００７７】
さらに、有機物汚れ抑制吐水モードにおいて横引配管ＨＰ内に流入した洗浄水の水位は本洗浄吐水モードにおいて横引配管ＨＰ内に流入した洗浄水の水位より高くなるため、実行頻度が有機物汚れ抑制吐水モードの実行頻度よりも高い本洗浄吐水モードの実行時に横引配管ＨＰの水位面付近に発生したバイオフィルムを含む有機物汚れを有機物汚れ吐水モードによって洗い流すことができる。従って、横引配管ＨＰにおいて洗浄水中の尿が有機物汚れにより比較的短時間で尿石を生じさせることをより抑制することができる。
【００７８】
さらに、本洗浄吐水モードが終了してから有機物汚れ抑制吐水実行時間Ｔｄ経過時に有機物汚れ抑制吐水モードを実行することにより、本洗浄吐水モードが終了してから有機物汚れ抑制吐水実行時間Ｔｄ経過するまでに小便器１００の使用がなかった場合に排水トラップ１３０内で成長していた有機汚れを洗い流せるため、より排水トラップ１３０内の汚れの成長を抑制できる。
また、長時間小便器１００を使用しない場合に発生する自然乾燥による封水切れを防ぐことができるため、部屋内への臭気が漏れることを防ぐことができる。
【００７９】
さらに、有機物汚れ抑制吐水実行時間Ｔｄが、複数の所定時間から選択自在であることにより、設置場所に応じて最適な有機物汚れ抑制吐水実行時間Ｔｄを選択することができるため、汚れの堆積抑制と節水とを両立させることができる。
【００８０】
さらに、本洗浄吐水モードが終了してから有機物汚れ抑制吐水実行時間Ｔｄより短い有機物汚れ抑制吐水判定時間Ｔｂ経過時において、前回の有機物汚れ抑制吐水モードを実行してからの小便器使用回数である小便器使用回数カウンターｐが所定回数Ｐ以上であった場合は、有機物汚れ抑制吐水モードを実行し、前回の有機物汚れ抑制吐水モードを実行してからの小便器使用回数カウンターｐが所定回数Ｐより少なかった場合は、有機物汚れ抑制吐水実行時間Ｔｄ経過時に有機物汚れ抑制吐水モードを実行することにより、使用頻度に見合って有機物汚れ抑制吐水モードが実行されるため、より確実に排水トラップ１３０および建物配管ＨＰ内の汚れの堆積を抑制できる。
【００８１】
さらに、有機物汚れ抑制吐水モードが、間欠的に実行されることにより、有機物汚れ抑制吐水モードを1回だけ行う場合に比べて建物配管ＨＰ内の有機物汚れが残存し難くなるため、より建物配管ＨＰ内の汚れの堆積を抑制することができる。
【００８２】
＜３．第２実施形態＞
続いて、図１１乃至図１３に基づいて、本発明の第２実施形態である小便器２００について説明する。
図１１は本発明の第２実施形態である小便器において、小便器を使用する使用回毎の動作を示すフローチャートであり、図１２は本発明の第２実施形態である小便器において、実際の動きを示すタイムチャートであり、図１３は本発明の第２実施形態である小便器において、有機物汚れ抑制吐水モードの動作を示すフローチャートである。
本発明の第２実施形態である小便器２００は、本発明の第１実施形態である小便器１００と吐水動作が異なるものであり、多くの要素について小便器１００と共通するので、共通する事項については詳しい説明を省略し、下２桁が共通する２００番台の符号を付すのみとする。
【００８３】
＜３．１．使用回毎の動作＞
まず、図１１および図１２を用いて本発明の第２実施形態である小便器２００の使用回毎の動作について説明する。
【００８４】
小便器２００に通電しているあいだ、小便器２００の検知センサー２２８ｃは使用を検知している（ステップＳ２００）。
そして、小便器２００の検知センサー２２８ｃが、使用者がボウル部２１１の前に立つと、検知センサー２２８ｃが使用者の使用を検知してステップＳ２０１に進む（このときの時刻ｔ２０とする；図１２参照）。
【００８５】
＜３．１．１．尿希釈吐水モード＞
時刻ｔ２０経過後（すなわち、ステップＳ２０１において）、コントローラー２２０Ａは第２の開閉弁２２７ｂを開弁する。
これにより、スプレッダ２２８の第２の吐水部２２８ｂからボウル部２１１のボウル面２１１ａに向かって瞬間流量Ｑ２で吐水が実行される。
そして、ステップＳ２０２に進む。
【００８６】
ステップＳ２０２では、第２の吐水部２２８ｂからの吐水中に検知センサー２２８ｃが使用を検知しているか否かを判定する。
使用を検知している場合は、ステップＳ２０２を繰り返す。
使用を検知しなくなった場合は、ステップＳ２０３へ進む。
【００８７】
検知センサー２２８ｃが人体を検知しなくなった場合（すなわち、ステップＳ２０３において）、コントローラー２２０Ａは第２の開閉弁２２７ｂを閉弁し、第２の吐水部２２８ｂからの吐水を終了させる。
その後、ステップＳ２０４へと進む（このときの時刻を時刻ｔ２１とする；図１２参照）。
【００８８】
このようにステップＳ２０１、ステップＳ２０２、ステップＳ２０３は「使用者の使用を検知してから、使用者の使用を検知しなくなるまでの時間」であり、換言すれば「使用者がボウル部２１１へ排尿している最中に吐水を行うことで、排水トラップ２３０へ流入する尿を希釈している時間」であり、この３ステップの実行を「尿希釈吐水モード」という。
【００８９】
＜３．１．２．本洗浄吐水モード＞
時刻ｔ２１経過後（すなわち、ステップＳ２０４において）、コントローラー２２０Ａは第１の開閉弁２２７ａを開弁する。
これにより、スプレッダ２２８の第１の吐水部２２８ａからボウル部２１１のボウル面２１１ａに向かって瞬間流量Ｑ１で吐水する。
なお、このときの吐水時間を本洗浄時間Ｔａ（例えば３．３秒）とし、本洗浄時間Ｔａ終了後の時刻を時刻ｔ２２とする（図１２参照）。
【００９０】
このステップＳ２０４は「使用者の使用を検知しなくなった後に、スプレッダ２２８から吐水が行われる」時間であり、換言すれば「ボウル部２１１を洗浄すると共に排水トラップ２３０内を洗浄水に置換する時間」であり、ステップＳ２０４が実行されている時間を「本洗浄吐水モード」という。
なお、「本洗浄吐水モード」で使用される水量（すなわち、第１の吐水部２２８ａから吐水される水量）は、約０．５リットルである。
【００９１】
＜３．２．有機物汚れ抑制吐水モード＞
続いて図１３を用いて、有機物汚れ抑制吐水モードについて説明する。
まず、ステップＳ２１０において、コントローラー２２０Ａは、前回の有機物汚れ抑制吐水モードが実行された時点から一定の所定時間Ｔのカウントを開始する。
【００９２】
ステップＳ２１１において、コントローラー２２０Ａは、Ｓ２１０の時点から所定時間Ｔが経過したか否かを判定する。
コントローラー２２０Ａは、所定時間Ｔが経過していない場合には、Ｓ２１１に戻る。
コントローラー２２０Ａは、所定時間Ｔが経過している場合には、排水トラップ２３０及び横引配管ＨＰにおいてバイオフィルムを発生させる細菌の増殖を抑制するために吐水が有効であると判断して、今回の有機汚れ抑制吐水モードを実行することを決定し、Ｓ２１２に進む。
なお、本実施形態において、所定時間Ｔについては、好ましくは１時間〜３時間に設定され、より好ましくは１．５時間〜２．５時間に設定され、さらに好ましくは２時間に設定される。
【００９３】
ステップＳ２１２において、コントローラー２２０Ａは第１の開閉弁２２７ａを開弁する。
これにより、スプレッダ２２８の第１の吐水部２２８ａからボウル部２１１のボウル面２１１ａに向かって瞬間流量Ｑ１で間欠的に吐水する。
ステップＳ２１２において、吐水開始から吐水終了までの時間（吐水時間）を有機物汚れ抑制吐水時間Ｔｃ（例えば１３．２秒）とする。
【００９４】
この一連のステップＳ２１０、ステップＳ２１１、ステップＳ２１２は「排水トラップ２３０及び横引配管ＨＰにおいてバイオフィルムを発生させる細菌の増殖を抑制するための吐水」であり、この３ステップの実行を「有機物汚れ抑制吐水モード」という。
なお、「有機物汚れ抑制吐水モード」で使用される水量（すなわち、第１の吐水部２２８ａから吐水される水量）は毎回一定であり、その水量は複数の所定流量（例えば、１リットル、２リットル、４リットル）から選択自在である。
【００９５】
＜３．３．作用効果
このようにして得られた本発明の第２実施形態である小便器２００は、有機物汚れ抑制吐水モードを実行することにより、排水トラップ２３０及び横引配管ＨＰにおいてバイオフィルムを発生させる細菌の増殖を抑制し、バイオフィルムを含む有機物汚れの形成を抑制することができる。また、仮に、バイオフィルムを含む有機物汚れが排水トラップ２３０及び横引配管ＨＰ内に形成されたとしても、小便器２００によれば、有機物汚れ抑制吐水モードを実行することにより、有機物汚れを設定されたスケジュールに基づいて洗浄することができる。
さらに、仮に、バイオフィルムを含む有機物汚れが排水トラップ２３０及び横引配管ＨＰ内に形成されたとしても、小便器２００によれば、尿希釈吐水モードを実行することにより、排尿がされてから本洗浄吐水モードが実行されるまでの排水トラップ２３０及び横引配管ＨＰ内の洗浄水の尿濃度を低下させることができる。よって、小便器２００によれば、洗浄水中の尿が有機物汚れにより比較的短時間で尿石を生じさせることを抑制することができる。
さらに、小便器２００によれば、尿希釈吐水モードが実行されることにより、本洗浄吐水モードが実行されるときに排水トラップ２３０内の洗浄水の尿濃度が尿の希釈により低下されている。よって、本洗浄吐水モードの実行により、この実行時点の排水トラップ２３０内の洗浄水中の尿が横引配管ＨＰの上流側に流れる場合においても、横引配管ＨＰ内に残存する洗浄水の尿濃度が低減され、洗浄水中の尿が尿石を生じさせることを抑制することができる。
従って、小便器２００によれば、有機物汚れ抑制吐水モードと尿希釈吐水モードを組合せることにより、洗浄水中の尿が排水トラップ２３０及び横引配管ＨＰ内においてバイオフィルムを含む有機物汚れにより尿石を生じさせることを抑制することができる。
また、有機物汚れ抑制吐水モードで使用する水量が、毎回一定であることにより、使用条件に因らず、確実に排水トラップ２３０及び横引配管ＨＰ内の有機物汚れの堆積を抑制することができる。
【００９６】
さらに、尿希釈吐水モードにおいて、排尿中の排水トラップ２３０内の尿が横引配管ＨＰに流入するとき、この流入の瞬間流量が比較的小さいことによりこの尿が横引配管ＨＰの上流側に逆流するように流れてしまうことを抑制することができる。これにより、横引配管ＨＰの上流側に尿石が生じることを抑制することができる。また、有機物汚れ抑制吐水モードにおける吐水の瞬間流量は尿希釈吐水モードにおける吐水の瞬間流量よりも高くなるので、有機物汚れ抑制吐水モードにおける吐水により横引配管ＨＰを比較的広範囲に確実に洗浄することができる。よって、有機物汚れ抑制吐水モードと尿希釈吐水モードを組合せることにより、洗浄水中の尿が横引配管ＨＰ内においてバイオフィルムを含む有機物汚れにより尿石を生じさせることをより抑制することができる。
【００９７】
さらに、本洗浄吐水モードにおけるボウル面２１１ａの洗浄性能を確保するとともに、尿希釈吐水モードに使用する洗浄水の無駄使いを抑制することができる。
【００９８】
さらに、有機物汚れ抑制吐水モードにおいて横引配管ＨＰ内に流入した洗浄水の水位は本洗浄吐水モードにおいて横引配管ＨＰ内に流入した洗浄水の水位より高くなるため、実行頻度が有機物汚れ抑制吐水モードの実行頻度よりも高い本洗浄吐水モードの実行時に横引配管ＨＰの水位面付近に発生したバイオフィルムを含む有機物汚れを有機物汚れ吐水モードによって洗い流すことができる。従って、横引配管ＨＰにおいて洗浄水中の尿が有機物汚れにより比較的短時間で尿石を生じさせることをより抑制することができる。
【００９９】
さらに、有機物汚れ抑制吐水モードが、一定時間ごとに実行されることにより、使用頻度によらず確実に排水トラップ２３０内が置換されるため、排水トラップ２３０内の有機汚れの成長が抑制され、より確実に排水トラップ２３０および建物配管ＨＰ内の汚れの堆積を抑制できる。
【０１００】
さらに、有機物汚れ抑制吐水モードが、間欠的に実行されることにより、有機物汚れ抑制吐水モードを1回だけ行う場合に比べて建物配管ＨＰ内の有機物汚れが残存し難くなるため、より建物配管ＨＰ内の汚れの堆積を抑制することができる。
【０１０１】
＜４．変形例＞
以上、本発明を実施するための形態について説明したが、本発明は前記に限定されるものではない。以下、一例を示す。
【０１０２】
例えば、小便器については、便器本体の最下部が床面から所定距離上方に位置し且つ便器本体の背面がその背後の壁面に沿って取付けられる壁掛け式の小便器について説明するが、便器本体が床面上に直接配置される床置き式の小便器であってもよい。
【０１０３】
例えば、使用水量削減のため、小便器が使用を検知してから尿希釈吐水モードを開始するまでのあいだに所定の待機時間を設けても良い。
この待機時間は、コントローラーに記録されたプログラム等により目的達成のため意図的に実現される待機時間であり、信号の伝送の遅れや弁体の動作等の遅れによりわずかに生じる吐水動作の遅れ時間とは区別される。
【符号の説明】
【０１０４】
１００、  ２００    ・・・  小便器
１１０              ・・・  便器本体
１１１、  ２１１    ・・・  ボウル部
１１１ａ、２１１ａ  ・・・  ボウル面
１１１ｂ            ・・・  排水口
１１２              ・・・  収納室
１２０              ・・・  自動洗浄ユニット
１２１              ・・・  主給水管
１２１ａ            ・・・  主給水路
１２２              ・・・  止水栓
１２３ａ            ・・・  第１の給水管
１２３ｂ            ・・・  第２の給水管
１２４ａ            ・・・  第１の給水路
１２４ｂ            ・・・  第２の給水路
１２５              ・・・  管継手
１２６ａ            ・・・  第１の定流量弁
１２６ｂ            ・・・  第２の定流量弁
１２７ａ、２２７ａ  ・・・  第１の開閉弁
１２７ｂ、２２７ｂ  ・・・  第２の開閉弁
１２８、  ２２８    ・・・  スプレッダ（吐水部）
１２８ａ、２２８ａ  ・・・  第１の吐水部
１２８ｂ、２２８ｂ  ・・・  第２の吐水部
１２８ｃ、２２８ｃ  ・・・  尿検知センサー
１２９              ・・・  電解除菌水ユニット
１２０Ａ、２２０Ａ  ・・・  コントローラー（制御部）
１３０、    Ｔ      ・・・  排水トラップ
Ｕ                ・・・  尿石
Ｖ                ・・・  有機物汚れ
Ｘ                ・・・  細菌
Ｙ                ・・・  高ｐＨ環境領域
Ｚ                ・・・  ウレアーゼ酵素
Ｗ                ・・・  壁面
Ｆ                ・・・  床面
Ｓ                ・・・  排水ソケット
ＨＰ              ・・・  横引配管
ＶＰ              ・・・  縦排水管
Ｔａ              ・・・  本洗浄時間
Ｔｂ              ・・・  有機物汚れ抑制吐水判定時間
Ｔｃ              ・・・  有機物汚れ抑制吐水時間
Ｔｄ              ・・・  有機物汚れ抑制吐水実行時間
Ｔ                ・・・  所定時間
Ｐ                ・・・  所定回数
ｐ                ・・・  使用回数カウンター
【図１Ａ】
2019027192.tif 000003
【図１Ｂ】
2019027192.tif 000004
【図１Ｃ】
2019027192.tif 000005
【図２Ａ】
2019027192.tif 000006
【図２Ｂ】
2019027192.tif 000007
【図２Ｃ】
2019027192.tif 000008
【図２Ｄ】
2019027192.tif 000009
【図３】
2019027192.tif 000010
【図４Ａ】
2019027192.tif 000011
【図４Ｂ】
2019027192.tif 000012
【図４Ｃ】
2019027192.tif 000013
【図４Ｄ】
2019027192.tif 000014
【図４Ｅ】
2019027192.tif 000015
【図４Ｆ】
2019027192.tif 000016
【図４Ｇ】
2019027192.tif 000017
【図５】
2019027192.tif 000018
【図６】
2019027192.tif 000019
【図７】
2019027192.tif 000020
【図８】
2019027192.tif 000021
【図９】
2019027192.tif 000022
【図１０】
2019027192.tif 000023
【図１１】
2019027192.tif 000024
【図１２】
2019027192.tif 000025
【図１３】
2019027192.tif 000026